(57)【要約】【課題】発光装置の設置場所に赴くことなく離れた場所から当該発光装置の発光寿命が到来する時期をより正確に判断することができる発光装置、及びこの発光装置の発光寿命に関するデータを管理する発光寿命データ管理システムを提供すること。【解決手段】光源である発光体（３０）を有し、照明装置（１００）に取り付けられる発光装置（１、１−２）であって、発光体（３０）の発光寿命に関するデータを測定する発光寿命データ測定部（５１）と、発光寿命データ測定部（５１）で測定したデータ（Ｄ）を送信用のデータ信号（Ｓ１）に変換するデータ変換部（５２）と、データ変換部（５２）で変換したデータ信号（Ｓ１）を発光装置（１、１−２）の外部へ送信するデータ送信部（５３）とを備える。【選択図】図１
2018200853.tif 000002
【特許請求の範囲】
【請求項１】
光源である発光体を有し、照明装置に取り付けられる発光装置であって、
前記発光体の発光寿命に関するデータを測定する発光寿命データ測定部と、
前記発光寿命データ測定部で測定したデータを送信用のデータ信号に変換するデータ変換部と、
前記データ変換部で変換したデータ信号を前記発光装置の外部へ送信するデータ送信部と、を備える
ことを特徴とする発光装置。
【請求項２】
前記発光装置は、
取付部と、
該取付部に着脱可能に取り付けられる媒体と、を備え、
前記媒体に前記発光寿命データ測定部、前記データ変換部及び前記データ送信部が設けられる
ことを特徴とする請求項１に記載の発光装置。
【請求項３】
前記発光寿命データ測定部は、前記発光体から発せられる光が到達する範囲における温度を測定する温度センサ、該範囲における照度を測定する照度センサ、前記発光体が実装された基板を流れる電流に関する電気抵抗値を測定する抵抗値センサ、の少なくともいずれかを含む
ことを特徴とする請求項１又は２に記載の発光装置。
【請求項４】
前記発光体は、発光ダイオードである
ことを特徴とする請求項１乃至３のいずれか１項に記載の発光装置。
【請求項５】
前記発光体と前記発光寿命データ測定部と前記データ変換部と前記データ送信部とを有する他の発光装置の前記データ送信部から送信された前記データ信号を受信するデータ受信部を備え、
前記データ送信部は、前記データ受信部で受信したデータ信号と前記データ変換部で変換したデータ信号とを前記発光装置の外部へ送信する
ことを特徴とする請求項１乃至４のいずれか１項に記載の発光装置。
【請求項６】
請求項１乃至５のいずれか１項に記載の発光装置と、
前記発光装置の前記データ送信部から送信されたデータ信号を直接又は中継装置を介して受信するデータ受信用装置と、を備え、
前記データ受信用装置は、複数の前記発光装置の前記データ送信部から送信された複数の発光装置の発光寿命に関するデータ信号を受信するように構成した
ことを特徴とする発光寿命データ管理システム。
【請求項７】
前記データ受信用装置は、通信ネットワークを介して前記中継装置から送信されたデータ信号を受信するように構成されている
ことを特徴とする発光寿命データ管理システム。
【発明の詳細な説明】
【技術分野】
【０００１】
本発明は、室内の天井などに設置した照明装置（照明器具）に取り付けられて発光するＬＥＤ照明灯などの発光装置、及びこの発光装置の発光寿命に関するデータを管理する発光寿命データ管理システムに関する。
【背景技術】
【０００２】
会社や家庭などの建物の室内には照明装置（照明器具）が設置されている。この照明装置には、ＬＥＤ照明灯や蛍光灯や白熱電球などの発光装置が取り付けられている。このような照明装置に取り付けられる発光装置は、通常、発光することが可能な期間が有限である。この期間が経過すると発光することができなくなる発光寿命が到来する。それゆえ、発光装置の使用者や管理者は、現在使用している発光装置の発光寿命の到来時期を判断し、当該判断に基づいて新しい発光装置を準備し、現在使用している発光装置の発光寿命が到来した場合は、準備した新しい発光装置に交換している。
【０００３】
しかし、特にＬＥＤ照明灯などは、従来の蛍光灯などと比較して発光可能な期間が長期間であるうえ、外観の目視などで発光寿命の到来時期の判断をすることが容易ではない。そのため、発光寿命の到来の時期を正確に判断することが難しい。このため、交換用の新しい発光装置が準備されていない状況で突然に発光装置の発光寿命が到来すると、一時的に照明装置の使用ができなくなるおそれがある。これは、照明装置の使用者にとって、生活の利便性だけでなく安全性の観点などからも好ましくない。
【０００４】
また、近年では、発光装置のレンタル（貸与）を行う事業者が、発光装置を取引先の会社や家庭にレンタルする形態の事業が行われるようになっている。このような発光装置のレンタルの事業形態でも、レンタルした発光装置の発光寿命が到来する時期を予め予測し、この予測した時期の到来前にレンタルしている発光装置を新たな発光装置と交換することが必要となる。そして現状では、発光装置のレンタルを行う事業者は、レンタルした発光装置の使用開始日や性能等に基づき、発光装置の発光寿命が到来する時期を予測している（特許文献１参照）。
【０００５】
それゆえ、発光装置のレンタル事業者には、レンタルした発光装置の発光寿命が到来する時期を、会社や家庭での実際の使用状況に基づいて正確に予測することが求められる。しかしながら、レンタル先での発光装置の使用態様は多種多様であるため、発光装置の使用状況などによっては、発光装置の発光寿命が予め予測した時期よりも前に到来する可能性を否定できず、正確な予測は困難を極めるのが実情である。
【０００６】
一方、このような発光寿命到来時期の予測方法として、特許文献２には、トンネルに設置した発光装置を点検し、この点検で得られた情報に基づいて発光装置の発光寿命が到来する時期を予測することが記載されている。しかし、特許文献２に記載の方法では、発光装置の管理者が、発光装置が設置された場所に赴いてその発光寿命に関する判断を行うため、手間及びコストを要するという問題がある。特に、会社や家庭に発光装置をレンタルする事業においては、特許文献２に記載のようにトンネル内に多くの発光装置をまとめて取り付ける場合と異なり、広範囲に散在する多数の会社や家庭の建物に設置した照明装置に多数の発光装置を取り付けているため、これらの発光装置のすべての設置場所に赴いて点検を行うには多大な手間及びコストを要するため、現実的ではない。
【先行技術文献】
【特許文献】
【０００７】
【特許文献１】特開２０１７−１０５０２号公報
【特許文献２】特開２０１２−１５０８９５号公報
【発明の概要】
【発明が解決しようとする課題】
【０００８】
本発明は上述の点に鑑みてなされたものであり、その目的は、発光装置の設置場所に赴くことなく離れた場所から当該発光装置の発光寿命が到来する時期をより正確に判断することができる発光装置、及び当該発光装置の発光寿命に関するデータを効率的に管理することができる発光寿命データ管理システムを提供することにある。
【課題を解決するための手段】
【０００９】
上記課題を解決するための本発明は、光源である発光体（３０）を有し、照明装置（１００）に取り付けられる発光装置（１、１−２）であって、発光体（３０）の発光寿命に関するデータを測定する発光寿命データ測定部（５１）と、発光寿命データ測定部（５１）で測定したデータ（Ｄ）を送信用のデータ信号（Ｓ１）に変換するデータ変換部（５２）と、データ変換部（５２）で変換したデータ信号（Ｓ１）を発光装置（１、１−２）の外部へ送信するデータ送信部（５３）と、を備えることを特徴とする。
【００１０】
本発明に係る発光装置は、発光体の発光寿命に関するデータを測定する発光寿命データ測定部を備えることで、発光装置の実際の使用状況に基づく発光装置の発光寿命に関するデータを取得することができる。また、発光寿命データ測定部で測定したデータを送信用のデータ信号に変換するデータ変換部と、このデータ変換部で変換したデータ信号を発光装置の外部へ送信するデータ送信部とを備えることで、発光寿命データ測定部で測定したデータを発光装置から離れた場所に送信することができる。これらにより、発光装置から離れた場所において、発光装置の発光寿命が到来する時期を発光装置の実際の使用状況に基づいてより正確に判断することが可能となる。
【００１１】
また、発光装置（１、１−２）は、取付部（４０）と、該取付部（４０）に着脱可能に取り付けられる媒体（５０−２）と、を備え、媒体（５０−２）に発光寿命データ測定部（５１）、データ変換部（５２）及びデータ送信部（５３）が設けられていてもよい。このように、発光装置に設けた取付部に着脱可能に取り付けられた媒体に発光寿命データ測定部、データ変換部及びデータ送信部を設けることで、発光装置そのものに発光寿命データ測定部、データ変換部及びデータ送信部を設ける必要がなくなり、発光装置そのものに要する製造コスト及び維持コストを低く抑えることができる。また、取付部に着脱可能に取り付けられた媒体に発光寿命データ測定部、データ変換部及びデータ送信部を設けることで、発光寿命データ測定部、データ変換部及びデータ送信部が万が一故障した場合やそれらにバージョンアップやメンテナンスの必要が生じた場合などでも、発光寿命データ測定部、データ変換部及びデータ送信部を発光装置から簡単に取り外して交換することができるため、発光寿命データ測定部、データ変換部及びデータ送信部のメンテナンス性を向上させることができる。
【００１２】
さらに、上記発光装置において、発光寿命データ測定部（５１）は、発光体（３０）から発せられる光（Ｌ）が到達する範囲における温度を測定する温度センサ（５１ａ）、該範囲における照度を測定する照度センサ（５１ｂ）、発光体（３０）が実装された基板（２０）を流れる電流（Ｉ１）に関する電気抵抗値を測定する抵抗値センサ（５１ｃ）、の少なくともいずれかを含むとよい。このように、発光寿命データ測定部として温度センサ、照度センサ及び抵抗値センサの少なくともいずれかを備えることで、発光装置の発光寿命と密接に関連するデータを取得することができる。そのため、発光装置の発光寿命が到来する時期をより正確に判断することが可能となる。
【００１３】
また、上記発光装置において、発光体（３０）は、発光ダイオードとしてよい。このように、発光寿命データ測定部、データ変換部及びデータ送信部が設けられた発光装置の光源として発光ダイオードを設けることで、発光ダイオードを光源とする発光装置の発光寿命が到来する時期をデータ送信部から送信されたデータ信号に基づいて判断することができる。そのため、発光装置を目視して発光装置の発光寿命が到来する時期を判断するのが困難である発光ダイオードの欠点を解消でき、従来の蛍光灯などと比較して発光寿命が長い発光ダイオードの利点を十分に活かすことができる。
【００１４】
さらに、上記発光装置は、発光体（３０）と発光寿命データ測定部（５１）とデータ変換部（５２）とデータ送信部（５３）とを有する他の発光装置のデータ送信部（５３）から送信されたデータ信号（Ｓ２）を受信するデータ受信部（５５）を備え、データ送信部（５３）は、データ受信部（５５）で受信したデータ信号（Ｓ２）とデータ変換部（５２）で変換したデータ信号（Ｓ１）とを発光装置（１、１−２）の外部へ送信するように構成してもよい。
【００１５】
このように、発光体、発光寿命データ測定部、データ変換部、データ送信部を有する他の発光装置のデータ送信部から送信されたデータ信号を受信するデータ受信部を備えると共に、データ送信部はデータ受信部で受信したデータ信号を送信するように構成したことで、他の発光装置の発光寿命に関するデータ信号を含めたデータ信号を外部へ送信することができる発光装置となる。したがって、上記構成の発光装置を複数設置すれば、当該発光装置を介して多数の発光装置の発光寿命に関するデータを順次転送することで中継装置などに集めることが可能となる。したがって、広範囲に散在する多数の会社や家庭の建物に設置した照明装置に多数の発光装置を取り付けている場合でも、少ない設備投資で、これら多数の発光装置の発光寿命に関するデータの管理を容易に行うことができるようになる。
【００１６】
また、上記課題を解決するための本発明は、上記いずれかの構成を備える発光装置（１Ａ〜１Ｈ）と、発光装置（１Ａ〜１Ｈ）のデータ送信部（５３）から送信されたデータ信号（Ｓ）を直接又は中継装置（１１１Ａ〜１１１Ｃ）を介して受信するデータ受信用装置（１１３）と、を備え、データ受信用装置（１１３）は、複数の発光装置（１Ａ〜１Ｈ）のデータ送信部（５３）から送信された複数の発光装置（１Ａ〜１Ｈ）の発光寿命に関するデータ信号（Ｓ）を受信するように構成したことを特徴とする発光寿命データ管理システム（３００）である。
【００１７】
このように、データ受信用装置は、複数の発光装置のデータ送信部から送信された複数の発光装置の発光寿命に関するデータ信号を受信するように構成されているため、多数の発光装置の発光寿命に関するデータ信号を順次データ受信用装置に転送することで、この発光寿命データ管理システムが適用される領域に点在する複数（多数）の発光装置の発光寿命に関するデータを集約して管理することができるようになる。また、この発光寿命データ管理システムに含まれる発光装置の数に関わりなく発光寿命に関するデータの管理を行うことができるため、広範囲に散在する多数の会社や家庭の建物に設置した照明装置に多数の発光装置を取り付けている場合でも、多数の発光装置の発光寿命に関する管理を一括して行うことが可能なシステムとなる。したがって、発光装置の発光寿命に関するデータを効率的に管理することができる。
【００１８】
さらに、上記発光寿命データ管理システムにおいて、データ受信用装置（１１３）は、通信ネットワーク（Ｗ）を介して中継装置（１１１Ａ〜１１１Ｃ）から送信されたデータ信号（Ｓ）を受信するように構成されていてもよい。
【００１９】
なお、上記の括弧内の符号は、後述する実施形態の対応する構成要素の符号を本発明の一例として示したものである。
【発明の効果】
【００２０】
本発明にかかる発光装置によれば、発光装置の設置場所に赴くことなく離れた場所から当該発光装置の発光寿命が到来する時期をより正確に判断することができる。また本発明にかかる発光寿命データ管理システムによれば、発光装置の発光寿命に関するデータを効率的に管理することができる。
【図面の簡単な説明】
【００２１】
【図１】本発明の第一実施形態である発光装置の概略構成を示す図である。
【図２】発光寿命データ取得部の機能構成を示すブロック図である。
【図３】本発明の一実施形態に係る発光寿命データ管理システムを示す全体構成図である。
【図４】データ処理装置の機能構成を示すブロック図である。
【図５】データ処理装置で作成される発光寿命データの表示例を示す図である。
【図６】本発明の第二実施形態である発光装置の概略構成を示す図である。
【発明を実施するための形態】
【００２２】
以下、添付図面を参照して、本発明の実施形態について詳細に説明する。
【００２３】
〔第一実施形態〕
図１は、本発明の第一実施形態である発光装置の概略構成を示す図である。同図に示す発光装置１は、建物における室内の天井Ｙなどに設置された照明装置（照明器具）１００に取り付けて使用される照明具（電灯）であり、例えば、ＬＥＤ（Light emitting diode）照明灯や有機ＥＬ(Organic electroluminescent)照明灯、蛍光灯、白熱電球灯などが該当する。本実施形態の発光装置１は、ＬＥＤ（発光体）３０を備えたＬＥＤ照明灯である。この発光装置１は、光源としてのＬＥＤ３０が実装された基板（実装基板）２０を収容した本体部１０と、ＬＥＤ３０を覆うカバー（ケース）２とを備える。また、本実施形態の発光装置１は、ＬＥＤ３０の発光寿命（残発光可能時間）に関するデータを取得する機能を有する発光寿命データ取得部５０を備える。また、図示は省略するが、ＬＥＤ３０が実装された基板２０には、当該基板２０やＬＥＤ３０の発熱による温度上昇を抑制するためのヒートシンクが取り付けられていてもよい。
【００２４】
図２は、発光寿命データ取得部５０の機能構成を示すブロック図である。発光寿命データ取得部５０は、発光装置１（ＬＥＤ３０）の発光寿命に関するデータを測定（計測）するセンサ部（発光寿命データ測定部）５１と、センサ部５１が測定した発光寿命に関するデータＤを送信用のデータ信号Ｓ１に変換するデータ変換部５２と、データ変換部５２で変換された送信用のデータ信号Ｓ１をアンテナ部５４を介して発光装置１の外部に送信するデータ送信部５３とを備える。また、発光寿命データ取得部５０は、発光装置１と同様の構成を有する他の発光装置のデータ送信部から送信されたデータ信号Ｓ２をアンテナ部５４を介して受信するデータ受信部５５を備える。データ送信部５３は、データ受信部５５で受信した上記のデータ信号Ｓ２を発光装置１の外部へ送信する機能も備える。
【００２５】
センサ部５１は、ＬＥＤ３０の発光寿命に関するデータを測定する機能を有する各種のセンサを備えて構成されている。このセンサとして、ＬＥＤ３０から発せられる光Ｌが到達する範囲における温度を測定する温度センサ５１ａ、ＬＥＤ３０から発せられる光Ｌが到達する範囲における照度を測定する照度センサ５１ｂ、ＬＥＤ３０が実装された基板２０上の回路を流れる電流Ｉの一部である電流Ｉ１に関する電気抵抗値を測定する抵抗値センサ５１ｃの少なくともいずれかとすることができる。センサ部５１が備えるセンサは、これら温度センサ５１ａ、照度センサ５１ｂ、抵抗値センサ５１ｃのいずれか一つであってもよいし、それらの複数を備えていてもよい。
【００２６】
データ送信部５３及びデータ受信部５５は、既知の中近距離無線通信規格に適合した無線通信手段を備えて構成することができ、当該無線通信規格の一例として、ＷｉＦｉ（Wireless Fidelity）規格、Ｂｌｕｅｔｏｏｔｈ（登録商標）規格、ＮＦＣ（Near Field Communication）等を用いることができる。また、将来的に開発される他の無線通信規格を用いることも可能である。データ送信部５３及びデータ受信部５５は、少なくとも同一の建物内や同一の室内、あるいは近隣の他の建物内に設置した他の照明装置に取り付けた発光装置（本実施形態の発光装置１が備える発光寿命データ取得部５０と同じ構成の発光寿命データ取得部を備えた発光装置）のデータ受信部や、後述する中継装置１１１（１１１Ａ〜１１１Ｃ）や基地局１１２に対してデータ信号Ｓ１、Ｓ２を送信することができるものであればよく、その条件を満たす無線通信規格に適合したものであればよい。また、データ送信部５３は、建物内に設置したＨＥＭＳ（Home Energy Management System）用の装置（端末機器）など建物の外部にデータ信号を送信可能な装置に対してデータ信号Ｓ１、Ｓ２を送信するように構成してもよい。
【００２７】
制御部５６は、発光寿命データ取得部５０を動作させるための各種処理を実行するための部分であり、マイクロプロセッサ、各種周辺回路等によって構成される。制御部５６には基板２０を流れる電流Ｉの一部の電流である電流Ｉ２が流れ、この電流Ｉ２により制御部５６が動作する。制御部５６は、予め設定されたタイミングで、センサ部５１、データ変換部５２、データ送信部５３及びデータ受信部５５を動作させ、発光装置１の発光寿命データを測定すると共に送信する。なお、制御部５６が発光寿命データ取得部５０を動作させるタイミングは、例えば、発光寿命データ取得部５０が設けられる発光装置１の使用開始日や性能等に基づいて決定することができる。
【００２８】
上記構成の発光装置１では、外部の商用電源Ｍからの電力の供給を受けた照明装置１００の制御回路１０１によってＬＥＤ３０の発光が制御されるようになっている。すなわち制御回路１０１からの制御信号及び電源の供給により、基板２０上のＬＥＤ３０が発光することで照明としての光を発する。この際、発光寿命データ取得部５０のセンサ部５１でＬＥＤ３０の発光寿命に関するデータ（具体的には、温度データ、照度データ、抵抗値データなど）の測定（計測）が行われる。そして、センサ部５１で測定したＬＥＤ３０の発光寿命に関するデータＤがデータ変換部５２で送信用のデータ信号Ｓ１に変換される。変換されたデータ信号Ｓ１は、データ送信部５３で発光装置１の外部へ送信される。また、発光寿命データ取得部５０のデータ送信部５３は、製品の固有番号など発光装置１を識別することが可能な識別情報を合わせて発光装置１の外部へ送信するように構成してもよい。
【００２９】
図３は、本発明の一実施形態にかかる発光寿命データ管理システムを示す全体構成図である。同図に示す発光寿命データ管理システム３００は、上記の発光寿命データ取得部５０を備える複数の発光装置１（１Ａ〜１Ｈ）と、これら複数の発光装置１（１Ａ〜１Ｈ）のデータ送信部５３から送信されたデータ信号Ｓを受信する複数の中継装置（データ中継装置）１１１（１１１Ａ〜１１１Ｃ）と、中継装置１１１（１１１Ａ〜１１１Ｃ）から送信されたデータ信号Ｓを受信する基地局１１２と、基地局１１２からのデータ信号Ｓを通信ネットワークＷを介して受信するデータ処理端末（データ処理装置）１１３とを備えて構成されている。
【００３０】
図３に示す複数の発光装置１（１Ａ〜１Ｈ）はそれぞれ、会社や家庭などの建物の室内の照明装置に取り付けられている。これら複数の発光装置１（１Ａ〜１Ｈ）と中継装置１１１（１１１Ａ〜１１１Ｃ）は、各々の発光装置１（１Ａ〜１Ｈ）のデータ送信部５３から送信された発光寿命に関するデータ信号Ｓを他の発光装置１（１Ａ〜１Ｈ）のデータ受信部５５及びデータ送信部５３を経由して最終的に一箇所に集約する無線通信システム（マルチホップシステム）２００を構成している。同図に例示的に示す構成では、発光装置１Ａから送信されたデータ信号Ｓが発光装置１Ｂ、１Ｃ、１Ｄの順に送信されると共に、発光装置１Ｅ、１Ｆ、１Ｇの順に送信される。また、発光装置１Ｆから送信されたデータ信号Ｓは発光装置１Ｈにも送信される。
【００３１】
中継装置１１１（１１１Ａ〜１１１Ｃ）は、発光装置１（１Ａ〜１Ｈ）から送信されたデータ信号Ｓを受信して他へ送信する。図３に示す無線通信システム２００では、中継装置１１１Ａは、発光装置１Ｄからデータ信号Ｓを受信すると共に中継装置１１１Ｂにデータ信号Ｓを送信する。また、中継装置１１１Ｂは、中継装置１１１Ａ及び発光装置１Ｇからデータ信号Ｓを各々受信すると共に中継装置１１１Ｃにデータ信号Ｓを送信する。さらに、中継装置１１１Ｃは、中継装置１１１Ｂ及び発光装置１Ｈからデータ信号Ｓを受信すると共に基地局１１２にデータ信号Ｓを送信する。
【００３２】
このようにして、無線通信システム２００では、複数（多数）の発光装置１から送信された発光装置１の発光寿命に関するデータ信号Ｓを最終的に一箇所の基地局１１２に集約することができる。したがって、特定のエリア内に点在する複数（多数）の建物内に取り付けられた複数（多数）の発光装置１の発光寿命に関するデータを収集することができるシステムとなる。
【００３３】
なお、本発明にかかる発光寿命データ管理システムの一部を構成する無線通信システムとしては、図３に示すように、複数の発光装置１（１Ａ〜１Ｈ）それぞれの発光寿命に関するデータが直接又は他の発光装置１（１Ａ〜１Ｈ）を経由して最終的にデータ処理装置１１３に集約する構成であれば、各発光装置１（１Ａ〜１Ｈ）の間でのデータ信号Ｓの送受信の態様や中継装置１１１（１１１Ａ〜１１１Ｃ）の有無などは特に限定されるものではなく、各種の態様で実施することが可能である。また、複数の発光装置１（１Ａ〜１Ｈ）は、それらの全てが発光寿命データ取得部５０にデータ送信部５３だけでなくデータ受信部５５を備えたものであっても良いし、複数の発光装置１のいずれか又は全部が発光寿命データ取得部５０にデータ送信部５３とデータ受信部５５のうちデータ送信部５３のみを備えたものであっても良い。
【００３４】
基地局１１２は、中継装置１１１Ｃからデータ信号Ｓを受信して通信ネットワークＷに送信する機能を有する。基地局１１２は、例えば、携帯電話用の電波を送受信するための基地局など既存の基地局を用いることも可能であり、必ずしも本実施形態の発光寿命データ管理システム３００又はその無線通信システム２００を実施するための基地局として新たに設置したものである必要はない。
【００３５】
通信ネットワークＷは、例えばインターネットなど広域の通信ネットワークであり、この通信ネットワークＷを介して、基地局１１２とデータ処理装置１１３との間でデータ信号Ｓの通信を行う。データ処理装置１１３は、通信ネットワークＷから上記のデータ信号Ｓを受信し、受信したデータ信号Ｓに基づいて発光装置１（１Ａ〜１Ｈ）の発光寿命到来時期などの情報を管理する機能を有する。
【００３６】
図４は、データ処理装置１１３の機能構成を示すブロック図である。同図に示すデータ処理装置（データ処理端末）１１３は、通信ネットワークＷに接続されたコンピュータ端末装置であり、制御部（制御手段）１１４、記憶部（記憶手段）１１５、ディスプレイなどの表示部（表示手段）１１６、入力装置（入力手段）１１７、データ送受信部１１８を備えている。なお、データ処理装置１１３としては、表示部１１６、入力装置１１７は必須ではなく、これらは必ずしも備えていなくてもよい。
【００３７】
制御部１１４は、データ処理装置１１３を動作させるための各種処理を実行するための部分であり、マイクロプロセッサ、各種周辺回路等によって構成される。一般的には、市販のＰＣ等の制御部に、ソフトウエアやアプリケーションをインストールしたものであり、記憶部１１５等もこれらの機器に一体的に構成されている。
【００３８】
また、下記で詳細に説明するが、上記の制御部１１４又は記憶部１１５は、データ送受信部１１８で受信した複数（多数）の発光装置１の発光寿命に関するデータを整理したり解析したりする機能など、発光寿命データ管理システム３００が実行する各種の機能を有している。
【００３９】
記憶部１１５は、ハードディスク、メモリ、ＤＶＤディスク、ブルーレイディスク等の記憶媒体である。記憶部１１５には、画像データなどの各種データが記憶されている。記憶部１１５に記憶されているデータは、必要に応じて制御部１１４により記憶部１１５から読み出され、制御部１１４が実行する様々な処理や制御に利用される。また、制御部１１４は、記憶部１１５に新たなデータを記憶したり既に記憶されているデータを更新することもできる。
【００４０】
ディスプレイ（表示部）１１６は、様々な画像や映像等を表示するための装置であり、液晶ディスプレイ等が用いられる。
【００４１】
入力装置１１７は、データ処理装置１１３を動作させるためにオペレーターから入力される各種操作を検出するための装置であり、各種の入力手段（タッチパネル、ＧＵＩ、キーボード、音声認識装置）を備えている。オペレーターは、入力装置１１７を操作することにより、データ処理端末で行われる発光寿命データ管理のための制御に必要な各種の操作を行うことができる。
【００４２】
データ送受信部１１８は、基地局１１２から送信されたデータ信号Ｓを通信ネットワークＷを介して受信する機能を有する。また、制御部１１４や記憶部１１５から入力した各種データを含むデータ信号Ｓ等を通信ネットワークＷを介して後述するユーザー端末装置１２０に対して送受信するなど、ユーザー端末装置１２０との間でデータを送受信するものである。
【００４３】
データ処理装置１１３では、具体的には、データ送受信部１１８で受信したデータ信号Ｓに基づいて、発光装置１（１Ａ〜１Ｈ）それぞれの発光寿命の到来時期の判断を行う。この発光寿命の到来時期の判断は、例えば、発光装置１（１Ａ〜１Ｈ）のセンサ部５１で測定した温度データ、照度データ、抵抗値データ等の技術的なデータと、データ処理装置１１３の記憶部１１５に予め記憶してある発光装置１（１Ａ〜１Ｈ）の識別情報及び発光装置１（１Ａ〜１Ｈ）の性能や特性など寿命判断に用いることができる情報とを照合することで行われる。ただし、寿命判断の手法はこれに限定されるものではなく、ＬＥＤ照明などの寿命判断に用いられる既知の手法や今後開発される新たな手法を用いて判断を行うことも可能である。このようなデータ処理装置１１３による発光寿命の到来時期の判断に基づいて、発光装置１の寿命が到来する前に、予め発光装置１の交換を行うための準備や交換品の手配などを行うことが可能となる。
【００４４】
また、データ処理装置１１３では、発光装置１（１Ａ〜１Ｈ）それぞれの発光寿命の到来時期を判断した結果、あるいはその結果に基づいて解析した情報などを発光装置１（１Ａ〜１Ｈ）の使用者（ユーザー）が所有するユーザー端末装置１２０に送信することも可能である。
【００４５】
ユーザー端末装置１２０（１２０−１，１２０−２）は、通信ネットワークＷを介してデータ処理装置１１３との間でデータ通信を行う機能を有する端末装置であり、例えば、スマートフォンやタブレットなどディスプレイ（表示画面）一体型の電子機器であってよい。なおここでは、ユーザー端末装置１２０の例として、タブレット端末装置１２０−１や携帯型コンピュータ（ＰＣ）端末装置１２０−２を図示している。ユーザー端末装置１２０は、通信ネットワークＷを介してデータ処理装置１１３から受信したデータに関する情報をブラウザソフトやアプリケーションソフトを用いて表示させるための表示画面を有している。ここでは、例えばユーザー端末装置１２０の表示画面に発光装置１の管理番号などの識別情報とその発光寿命に関する情報を表示させるようにする。これにより、発光装置１の使用者は自身のユーザー端末装置１２０でデータ処理装置１１３から送信された情報を閲覧することで、自身が使用している発光装置１の発光寿命の到来時期などを知ることができる。
【００４６】
図５は、データ処理装置で作成される発光寿命データの表示例を示す図である。データ処理装置１１３は、通信ネットワークＷを介してユーザー端末装置１２０にデータ信号Ｓを送信することで、図５に示すように、ユーザー端末装置１２０の表示画面に発光装置１（ＬＥＤ３０）の発光可能時間の情報を表示させることができる。また、発光装置１の使用電力量など他の情報も表示させてもよい。さらに、ユーザー端末装置１２０の所有者が複数の発光装置１をレンタルしている場合は、これら複数の発光装置を識別可能な管理番号も通知表示させることができる。このように、発光装置１の発光寿命に関するデータを発光装置１の利用者に提供することで、発光装置１の利用者に交換時期などの必要情報を伝えることで利便性を向上させるだけでなく、例えば節電意識などを促すことも可能となる。
【００４７】
なお、本実施形態のデータ処理装置１１３は、例えば、発光装置１を顧客にレンタルすると共に、レンタルした発光装置１の発光寿命到来時期が迫ると、レンタルした発光装置１を新たな発光装置１と交換する発光装置のレンタル事業を行う事業者自身が所有する端末装置、あるいは当該事業者から発光装置１の管理業務を委託された事業者が所有する端末装置などであってよい。
【００４８】
以上説明したように、本実施形態の発光装置１によれば、ＬＥＤ（発光体）３０の発光寿命に関するデータを測定するセンサ部（発光寿命データ測定部）５１を備えることで、発光装置１の実際の使用状況に基づくＬＥＤ３０の発光寿命に関するデータＤを取得することができる。また、センサ部５１で測定したデータＤを送信用のデータ信号Ｓ１に変換するデータ変換部５２と、このデータ変換部５２で変換したデータ信号Ｓ１を発光装置１の外部へ送信するデータ送信部５３とを備えることで、センサ部５１で測定したデータを発光装置１から離れた場所に送信することができる。これらにより、発光装置１から離れた場所において、発光装置１の発光寿命が到来する時期を発光装置１の実際の使用状況に基づいてより正確に判断することが可能となる。
【００４９】
さらに、発光装置１において、センサ部５１として温度センサ５１ａ、照度センサ５１ｂ、抵抗値センサ５１ｃの少なくともいずれかを備えることで、発光装置１の発光寿命と密接に関連するデータＤを取得することができる。そのため、発光装置１の発光寿命が到来する時期をより正確に判断することが可能となる。
【００５０】
また、発光装置１では、センサ部５１、データ変換部５２及びデータ送信部５３が設けられた発光装置１の光源としてＬＥＤ（発光ダイオード）３０を設けることで、ＬＥＤ３０を光源とする発光装置１の発光寿命が到来する時期をデータ送信部５３から送信されたデータ信号Ｓ１に基づいて判断することができる。そのため、発光装置１を目視して発光装置１の発光寿命が到来する時期を判断するのが困難であるＬＥＤ（発光ダイオード）の欠点を解消でき、従来の蛍光灯などと比較して発光寿命が長いＬＥＤ（発光ダイオード）の利点を十分に活かすことができる。
【００５１】
さらに、ＬＥＤ３０、発光寿命データ測定部５１、データ変換部５２、データ送信部５３を有する他の発光装置１のデータ送信部５３から送信されたデータ信号Ｓ２を受信するデータ受信部５５を備えると共に、データ送信部５３はデータ受信部５５で受信したデータ信号Ｓ２を送信するように構成したことで、他の発光装置１の発光寿命に関するデータ信号Ｓ２を含めたデータ信号Ｓ１、Ｓ２を外部へ送信することができる発光装置１となる。したがって、上記構成の発光装置１を複数設置すれば、当該発光装置１を介して多数の発光装置１の発光寿命に関するデータＤを順次転送することで中継装置１１１（１１１Ａ〜１１１Ｃ）などに集めることが可能となる。したがって、広範囲に散在する多数の会社や家庭の建物に設置した照明装置に多数の発光装置１を取り付けている場合でも、少ない設備投資で、これら多数の発光装置１の発光寿命に関するデータの管理を容易に行うことができるようになる。
【００５２】
また、本実施形態の発光寿命データ管理システム３００によれば、データ受信用装置１１３は、複数の発光装置１（１Ａ〜１Ｈ）のデータ送信部５３から送信された複数の発光装置１（１Ａ〜１Ｈ）の発光寿命に関するデータ信号Ｓを受信するように構成されているため、多数の発光装置１（１Ａ〜１Ｈ）の発光寿命に関するデータ信号Ｓを順次データ受信用装置１１３に転送することで、この発光寿命データ管理システム３００が適用される領域に点在する複数（多数）の発光装置１（１Ａ〜１Ｈ）の発光寿命に関するデータを集約して管理することができるようになる。また、この発光寿命データ管理システム３００に含まれる発光装置１の数に関わりなく発光寿命に関するデータの管理を行うことができるため、広範囲に散在する多数の会社や家庭の建物に設置した照明装置に多数の発光装置１を取り付けている場合でも、多数の発光装置１の発光寿命に関する管理を一括して行うことが可能なシステムとなる。したがって、発光装置１の発光寿命に関するデータを効率的に管理することができる。
【００５３】
〔第二実施形態〕
次に、本発明の第二実施形態に係る発光装置について説明する。なお、第二実施形態の説明及び対応する図面においては、第一実施形態と同一又は相当する構成部分には同一符号を付し、以下ではその部分の詳細な説明を省略する。また、以下で説明する事項以外の事項については、第一実施形態と同様である。
【００５４】
図６は、本発明の第二実施形態である発光装置の概略構成を示す図である。本実施形態の発光装置１−２は、デバイス（媒体）５０−２を装着するためのスロット（取付部）４０と、このスロット４０に着脱可能に取り付けられるカード状又はチップ状のデバイス（媒体）５０−２とを備えている。そして、デバイス５０−２には、第１実施形態の発光寿命データ取得部５０と同一の構成要素が搭載されている。具体的には、デバイス５０−２には、センサ部５１、データ変換部５２、データ送信部５３、アンテナ部５４、データ受信部５５が設けられている。
【００５５】
すなわち、本実施形態の発光装置１−２では、第１実施形態の発光装置１が備える発光寿命データ取得部５０を着脱自在とした構成である。このように、発光装置１−２に設けた取付部４０に着脱可能に取り付けられたデバイス５０−２に発光寿命データ測定部５１、データ変換部５２及びデータ送信部５３を設けることで、発光装置１−２そのもの（本体部１０）に発光寿命データ測定部５１、データ変換部５２及びデータ送信部５３を設ける必要がなくなり、発光装置１−２そのものに要する製造コスト及び維持コストを低く抑えることができる。また、取付部４０に着脱可能に取り付けられたデバイス５０−２に発光寿命データ測定部５１、データ変換部５２及びデータ送信部５３を設けることで、発光寿命データ測定部５１、データ変換部５２及びデータ送信部５３が万が一故障した場合やそれらにバージョンアップやメンテナンスの必要が生じた場合などでも、発光寿命データ測定部５１、データ変換部５２及びデータ送信部５３を本体部１０から簡単に取り外して交換することができるため、発光寿命データ測定部５１、データ変換部５２及びデータ送信部５３のメンテナンス性を向上させることができる。
【００５６】
以上、本発明の実施形態を説明したが、本発明は上記実施形態に限定されるものではなく、特許請求の範囲、及び明細書と図面に記載された技術的思想の範囲内において種々の変形が可能である。
【符号の説明】
【００５７】
１（１Ａ〜１Ｈ），１−２    発光装置
２    カバー
１０    本体部
２０    基板
３０    ＬＥＤ（発光体）
４０    スロット（取付部）
５０    発光寿命データ取得部
５０−２    デバイス（媒体）
５１    センサ部（発光寿命データ測定部）
５１ａ    温度センサ
５１ｂ    照度センサ
５１ｃ    抵抗値センサ
５２    データ変換部
５３    データ送信部
５４    アンテナ部
５５    データ受信部
５６    制御部
１００    照明装置
１０１    制御回路
１１１（１１１Ａ〜１１１Ｃ）    中継装置
１１２    基地局
１１３    データ処理装置
１１４    制御部
１１５    記憶部
１１６    表示部
１１７    入力装置
１１８    データ送受信部
１２０（１２０−１、１２０−２）    ユーザー端末装置
２００    無線通信システム
３００    発光寿命データ管理システム
Ｄ    データ
Ｉ、Ｉ１、Ｉ２    電流
Ｌ    光
Ｍ    商用電源
Ｓ、Ｓ１、Ｓ２    データ信号
Ｗ    通信ネットワーク
Ｙ    天井
【図１】
2018200853.tif 000003
【図２】
2018200853.tif 000004
【図３】
2018200853.tif 000005
【図４】
2018200853.tif 000006
【図５】
2018200853.tif 000007
【図６】
2018200853.tif 000008